(57)【要約】【課題】  作業用足場の据付けを簡単に且つ水平状態に保持できるようにして行うようにする。【解決手段】  被据付材としてのスクリューコンベヤ１のケーシング２に、２つのブラケット４，５を横方向に張り出させる。ブラケット４，５の各一側面には、位置決め材１０，１１を上下位置に、それぞれ側方へ突出するように取り付ける。作業用足場３の前端側となる一端側の左右両側部を、上記ブラケット４と５に沿わせるようにして、作業用足場３の左右両側部の上端面を、ブラケット４，５の上側の位置決め材１０の下面に係合させるようにし、上下の各位置決め材１０と１１の間に一端部を挿入させるようにした作業用足場３は、ブラケット４と５でボルト６により固定することにより据付けが行われるようにする。【選択図】図３
2009243067.tif 000002
【特許請求の範囲】
【請求項１】
被据付材に設けた２つのブラケットに作業用足場の一端側を沿わせて位置合わせをし、該ブラケットと作業用足場の複数個所でボルトで締結して作業用足場の据付けを行うようにする作業用足場の据付装置において、上記２つのブラケットの側面の下部位置と上部位置に、位置決め材を側方へ張り出させて取り付け、且つ上記作業用足場の一端側を上記上下の位置決め材の間に挿入した姿勢で上記ブラケットと作業用足場をボルトで固定して作業用足場を据付けるようにした構成を有することを特徴とする作業用足場の据付装置。
【請求項２】
ブラケットに取り付ける位置決め材のうち、上側に取り付ける位置決め材を、ブラケットの被据付材に近い位置とするようにした請求項１記載の作業用足場の据付装置。
【発明の詳細な説明】
【技術分野】
【０００１】
本発明は、作業用足場の据付装置に関するもので、詳しくは、主としてシールド工法でエレクターにより持ち上げられてセットされたセグメントを組み付けるときの作業に用いる足場の据付装置に関するものである。
【背景技術】
【０００２】
シールド工法では、シールド掘進機のカッターで切削しながらシールドジャッキにより前進させ、掘削された土砂等を斜めに配したスクリューコンベヤにより後方へ搬送して排出し、順次後方より搬入されるセグメントをエレクターによりトンネルの周方向へ並べて配置し、各セグメント同士を連結して覆工し、以後、組付けられたセグメントに反力をとりながらシールドジャッキによりシールド掘進機を前進して行くようにしてある。
【０００３】
上記土砂等を後方へ排出させるようにする排出コンベヤは、主としてスクリューコンベヤが用いられ、スクリューコンベヤは、先端部をシールド掘進機の前端部に位置させて後方へ向け斜め上向きに傾斜させて配設し、エレクターの位置を通過させた後、更に後方へ延長させ、後端部に設けた駆動装置によりスクリューを回転させて土砂等を後方へ搬送させるようにし、後端部に設けられた排出口より排出させた後、別のコンベヤで後方へ排出させるようにしてある考え方のものは、一般的である（たとえば、特許文献１参照）。
【０００４】
上記シールド工法において、エレメントで組み立てられるセグメント同士を連結して一体化して行くための作業は、エレクターよりも後方に位置する上記スクリューコンベヤの後端部に据付けた作業用足場を利用するようにしたものが、たとえば、直径５〜６ｍ位のトンネル内径のものには主として採用されているのが実状である。
【０００５】
従来、上記セグメントを組み付ける作業用足場の据付装置としては、図５に示す如き平面形状として周辺部を形鋼で補強した構成としてあるデッキ構造の作業用足場３と、該作業用足場３の被据付部材としてのスクリューコンベヤ１のケーシング２に長手方向の所要個所に取り付けたブラケット４，５とからなり、上記作業用足場３の前端側の左右両端部を上記ケーシング２のブラケット４，５にボルト６で固定するようにしてある。
【０００６】
更に詳しく述べると、図６に示す如く、上記ケーシング２に固定して側方へ張り出させた２つのブラケット４，５の各下端部内側に、前後方向に延びるように水平に配した角柱状の位置決め材（コッター）７をそれぞれ固定すると共に、各ブラケット４，５の所要個所に２つずつのボルト挿通孔８をばか孔として穿設した構成としてある。
【０００７】
又、作業用足場３は、上記ケーシング２側となる前端部の左右両側の端部に、上記ブラケット４，５のボルト挿通孔８に対応するボルト挿通孔９を２個ずつ設け、作業用足場３の先端部の左右両サイドをブラケット４，５の内側に沿わせてブラケット４，５間に挿入して位置決め材７の上に載せて支持させ、ブラケット４，５のボルト挿通孔８と作業用足場３のボルト挿通孔９とにボルト６を通して固定するようにしてある。
【０００８】
【特許文献１】特開２００５−２６４４９７号公報
【発明の開示】
【発明が解決しようとする課題】
【０００９】
ところが、上記図５乃至図８に示したこれまで実施されているシールド工法におけるセグメントを組むための作業用足場の据付装置では、作業用足場３の左右両側部の形鋼の下部に位置決め材７が位置するようにケーシング２側のブラケット４，５の下部にのみ位置決め材７を設置しているだけのものである。そのため、作業用足場３の前端側をスクリューコンベヤ１のケーシング２に当接させるようにして作業用足場３を位置決め材７上に載せ且つ該作業用足場３を水平状態に保持したままブラケット４，５にボルト６で固定するため、据付けに手数がかかっている。
【００１０】
しかも、ブラケット４，５に設けてあるボルト挿通孔８は、ばか孔としてあるため、作業用足場３の前端側の左右両側部のボルト挿通孔９にボルト６を通して左右２つずつ合計４本のボルト６で取り付けた場合にも、ボルト挿通孔８のばか孔とボルト６間の隙間により作業用足場３の自由端側が、該作業用足場３上に作業者が載らなくても下がり、作業用足場３が全体的に傾くおそれがあった。
【００１１】
そこで、本発明は、作業用足場や据付けるときに、作業用足場が傾斜するようなことがなく、水平状態に維持できるように仮置きでき且つこの状態で固定できるようにして据付けを簡単に行えるようにした作業用足場の据付装置を提供しようとするものである。
【課題を解決するための手段】
【００１２】
本発明は、上記課題を解決するために、被据付材に設けた２つのブラケットに作業用足場の一端側を沿わせて位置合わせをし、該ブラケットと作業用足場の複数個所でボルトで締結して作業用足場の据付けを行うようにする作業用足場の据付装置において、上記２つのブラケットの側面の下部位置と上部位置に、位置決め材を側方へ張り出させて取り付け、且つ上記作業用足場の一端側を上記上下の位置決め材の間に挿入した姿勢で上記ブラケットと作業用足場をボルトで固定して作業用足場を据付けるようにした構成とする。
【００１３】
又、上記構成において、ブラケットに取り付ける位置決め材のうち、上側に取り付ける位置決め材を、ブラケットの被据付材に近い位置とするようにした構成とする。
【発明の効果】
【００１４】
本発明によれば、次のような優れた効果を発揮する。  
（１）被据付材に設けた２つのブラケットに作業用足場の一端側を沿わせて位置合わせをし、該ブラケットと作業用足場の複数個所でボルトで締結して作業用足場の据付けを行うようにする作業用足場の据付装置において、上記２つのブラケットの側面の下部位置と上部位置に、位置決め材を側方へ張り出させて取り付け、且つ上記作業用足場の一端側を上記上下の位置決め材の間に挿入した姿勢で上記ブラケットと作業用足場をボルトで固定して作業用足場を据付けるようにした構成としてあるので、簡単な構成で作業用足場の一端部を上側の位置決め材で係止して作業用足場を支持させることができて、ブラケットにボルト挿通孔がばか孔になっていても作業用足場を水平状態に片持ちで保持できる。  
（２）ブラケットに取り付ける位置決め材のうち、上側に取り付ける位置決め材を、ブラケットの被据付材に近い位置とするようにした構成とすることにより、上下の位置決め材の間には、作業用足場の一端部を斜め下向きに挿入するだけで先端上面を上側の位置決め材に当接させられるので、安定よく仮置きすることができ、ボルトによる固定作業が楽になる。
【発明を実施するための最良の形態】
【００１５】
以下、本発明を実施するための最良の形態を図面を参照して説明する。
【００１６】
図１乃至図４は本発明の実施の一形態を示すもので、図５乃至図８に示した場合と同様に、シールド工法において排出する掘削土などを後方へ搬送させるようにする後方へ向け上り勾配に配設してあるスクリューコンベヤ１のケーシング２を利用して作業用足場３を据付けるようにした場合を例として示す。
【００１７】
図１乃至図４に示す如く、被据付材としてのスクリューコンベヤのケーシング２の側壁部に、同一高さ位置となるようにブラケット４と５を前後方向に所要間隔を隔てて同一方向へ向けて突設させる。上記各ブラケット４と５の各一側面には、上面をステージ面とする作業用足場３の周辺部に縁取るように取り付けてある断面コ形の形鋼３ａの高さ寸法に対応した上下２個所に、側方へ突出する位置決め材１０，１１をそれぞれ固定し、且つ各ブラケット４，５の中央部分には、前後方向となるケーシング２に近接離反する方向の少なくとも２個所に、ボルト挿通孔７を、ボルトの外径よりも大きくしたばか孔として形成する。
【００１８】
更に、上記上下の各位置決め材１０，１１は、上側の位置決め材１０を奥側（ケーシング２に近い位置）に取り付けると共に、下側の位置決め材１１を手前側（ケーシング２から離れる位置）に取り付けて、千鳥配置とするようにする。
【００１９】
又、上記作業用足場３の前端側となるケーシング２に近接させる側の左右両側部には、図４に示してあるような形鋼３ａに、上記ブラケット４，５に設けたボルト挿通孔に一致するようにボルト挿通孔が設けられており、ボルト６にて締め付け固定されるようにしてある。
【００２０】
その他の構成は図５乃至図８に示したものと同じであり、同一のものには同一の符号が付してある。
【００２１】
上記構成としてある本発明の作業用足場の据付装置により作業用足場３を据付けようとする場合は、次のようにして行う。
【００２２】
先ず、作業用足場３を、前端側がスクリューコンベヤのケーシング２に近接するように接近させ、次いで、作業用足場３を、前端側が低くなるように前傾姿勢としたまま、該作業用足場３の前端部を２つのブラケット４，５に沿わせながら、作業用足場３の前端面を各ブラケット４，５の上側の位置決め材１０の下側と下側の位置決め材１１の上側との間に挿入させるようにする。しかる後、作業用足場３の後端側となる自由端側を下げて、該作業用足場３の前端部の下面が、各ブラケット４，５の下側の位置決め材１１に接するようにし、作業用足場３を全体的に水平状態にして、図３に示す如く、上下の各位置決め材１０，１１に係合させた状態で仮置きさせるようにする。この際、作業用足場３は、前端部が上側の位置決め材１０に係合してストッパーとして機能させられているので、作業用足場３自体は保持されており、作業員により姿勢を保持する必要なく、作業用足場３側の形鋼３ａのボルト挿通孔８とブラケット４，５のボルト挿通孔に容易にボルト６を挿通させることができる。これにより、ボルト６を締め付けることにより、作業用足場３の据付けを行わせることができる。
【００２３】
上記において、各ブラケット４，５に設けたボルト挿通孔は、ばか孔としてあっても、作業用足場３の前端上面が各ブラケット４，５の上側の位置決め材１０に係止させられていることから、作業用足場３は自由端側が下がって傾くようなことはなく、安定した足場として使用できることになる。
【００２４】
なお、本発明は、上記した実施の形態のみに限定されるものではなく、作業用足場をシールド工法におけるスクリューコンベヤのケーシングを被据付材として据付けるようにした場合を示したが、かかる場合に限らず、高所位置への作業用足場の据付けを他の固定部材に同様に据付けるようにすることもあること、その他本発明の要旨を逸脱しない範囲内で種々変更を加え得ることは勿論である。
【図面の簡単な説明】
【００２５】
【図１】本発明の作業用足場の据付装置の実施の一例を示す概略平面図である。
【図２】図１に示すケーシングに位置決め材を上下に設けた本発明の要部の一例を示す側面図である。
【図３】図１の側面図である。
【図４】図３のＡ−Ａ断面図である。
【図５】これまでに実施されている作業用足場をスクリューコンベヤのケーシングに据付けた状態を示す平面図である。
【図６】図５に示す従来の据付状態の一過程を示す平面図である。
【図７】図５のＢ矢視図である。
【図８】図５のＣ矢視図である。
【符号の説明】
【００２６】
２  ケーシング
３  作業用足場
４  ブラケット
５  ブラケット
６  ボルト
１０  位置決め材
１１  位置決め材
【図１】
2009243067.tif 000003
【図２】
2009243067.tif 000004
【図３】
2009243067.tif 000005
【図４】
2009243067.tif 000006
【図５】
2009243067.tif 000007
【図６】
2009243067.tif 000008
【図７】
2009243067.tif 000009
【図８】
2009243067.tif 000010